(57)【要約】【課題】  多くの製造業務において欠かす事のできない円筒状容器を取り扱う作業で、大掛かりな設備を使用することなく、作業工程でのフォークリフトの運転時間を減少させ、温室効果ガスの排出を抑制するとともに、作業時間を短縮し製造業務全体の円滑化を図る。【解決手段】  簡単な構造体を持つ台車上に、キャスター列を設置し、保管状態の円筒状容器と保管ラックをそのまま積載させる事で、移動し作業に移行できる。これによりフォークリフトの使用を減少させ、尚且つ作業時間を短縮する。【選択図】  図９
2009220805.tif 000002
【特許請求の範囲】
【請求項１】
台上に円筒状容器を積載するための、概ね平行な中心線を複数有する車輪列を、車輪を上向きに設置することを特徴とする台車。
【請求項２】
円筒状容器の保管ラックを、車輪列間に積載する事を特徴とする請求項１の台車。
【請求項３】
円筒状容器の保管ラックの高さより高い車輪を用い、車輪の取り付け幅を不定にする事により、円筒状容器を保持した際に容器の高低差と容器間の距離を生じることを特徴とする請求項１の台車。
【請求項４】
複数のドラム缶を載せる作業用台車であって、隣接するドラム缶が接触せず、独立して回転可能となるように、キャスターを離間して台車上面上に配置したことを特徴とする請求項１の作業用台車。
【請求項５】
前記複数のドラム缶が載せられているラックを、前記台車に載せたときに、前記複数のドラム缶が前記キャスターによって回転可能に支持されることを特徴とする請求項１の台車。
【請求項６】
枠材、又は、板等により構成され、その下部と上部に複数のキャスターを取り付け可能な構造体の下部に、移動と方向転換のための自在式キャスター等を配置し、構造体上部には、円筒などの、円弧部を床面に接し回転が可能で、回転軸が概ね水平な状態の回転可能物（以下、回転物とする。）を、積載するため、ブレーキ機能を有する固定式キャスターを、積載しようとする回転物の回転軸と車輪軸を同一方向にし、回転物の直径幅以内、且つ、回転物を積載したときに回転物の円弧部が構造体に接触しない幅で、回転軸の両端付近に２基１組ずつ配置し、複数の回転物を１個ずつ積載する場合は、構造体を延長し回転物が接触しない間隔で同様のキャスター列を配置し、複数の密接した回転物を同時に積載する場合は、基準となる回転物から、複数の回転物を、一方の水平方向に分離する距離の合計を、回転物を保持する1組のキャスターの頂点間距離の２分の１未満となるよう設定するか、回転物を保持するキャスターの取り付け幅を、隣り合わせる１組と変化させることで回転物に高低差を生じ、分離可能と考えられ、回転物の種類や大きさ、又、作業方法に応じ、取り付け幅とキャスターを変更することで、多様に対応可能な事を特徴とする、請求項１の台車。
【請求項７】
回転物の両端を突出させた状態で保管するラックを、ラック高より高い設置高のキャスターを用いた台車上のキャスター列間に、回転物を保持可能な向きで上方より収納する過程で、回転物をキャスターが保持し、ラックと分離される事を特徴とする、請求項１の台車。
【請求項８】
キャスター列間に収納され回転物と分離されたラックを、回転物の回転軸に対し、９０度の水平方向に撤去可能な事を特徴とする、請求項１の台車。
【発明の詳細な説明】
【技術分野】
【０００１】
保管状態の密接した複数の回転物を分離し、運搬及び作業する事が可能な回転物の作業用の台車に関する。
【背景技術】
【０００２】
多くの製造業務において、液体を封入した回転物を取り扱う際、保管場所よりフォークリフトにて回転物を保持後、作業場所に移動し回転物を一度地上に降ろしフォークリフトを後退させ下車し、回転物を回転させ内容物排出口を下方へ修正し、そして再度フォークリフトに乗車し、回転により移動した回転物を保持するためフォークリフトを方向転換することになる。この時、地面の勾配や内容物の揺れにより乗車後に回転物が回転する事もあり、再度下車し修正が必要となる場合もある。修正後に乗車し回転物を保持し内容物の排出作業に移行する。そしてこの一連の作業を繰り返すわけであり、作業範囲も広くなり、他の作業の障害となる。仮に、使用する回転物全てを保管場所から作業場所に移動した後、電動等のハンドリフト（例えば、特許文献１参照。）や人力リフト等を使用したとしても、燃料消費は削減が可能だが、作業行程に変化はなく作業時間が短縮されることはない。更に人力リフトを使用した場合は作業者の体力消耗が激しく、又、作業時間は延長する。
【先行技術文献】
【特許文献】
【０００３】
【特許文献１】特開平１１―２３７９１４号公報（図１）
【発明の概要】
【発明が解決しようとする課題】
【０００４】
製造過程において回転物を取り扱う際、運搬作業を反復し、長時間フォークリフトを運転、占有するため他の作業でフォークリフトを使用不可能となり工場業務全体が停滞する事もある。又、作業場所では騒音や排気ガスにより作業員への健康被害も懸念される。よって、回転物を取り扱う際のフォークリフト使用時間の短縮と、作業場所への乗り入れ制限をする必要性がある。
【０００５】
本発明は、上記事情により鑑み、運搬作業と回転作業の簡易化を図り、製造業務全般を効率化させる事を目的とし、回転物の運搬及び作業用の台車を提供するものである。
【課題を解決するための手段】
【０００６】
そして本発明は、上記目標を達成するために台上に円筒状容器を積載するための、概ね
平行な中心線を複数有する車輪列を、車輪を上向きに設置する構成とする
【０００７】
円筒状容器の保管ラックを、車輪列間に積載することが可能な構成とする。
【０００８】
円筒状容器の保管ラックの高さより高い車輪を用い、車輪の取り付け幅を不定にする事により、円筒状容器を保持した際に容器の高低差と容器間の距離を生じさせる事が可能な構成とする。
【０００９】
複数のドラム缶を載せる作業用台車であって、隣接するドラム缶が接触せず、独立して回転可能となるように、キャスターを離間して台車上面上に配置する構成とする。
【００１０】
前記複数のドラム缶が載せられているラックを、前記台車に載せたときに、前記複数の
ドラム缶が前記キャスターによって回転可能に支持することが可能な構成とする。
【００１１】
枠材、又は、板等により構成され、その下部と上部に複数のキャスターを取り付け可能な構造体の下部に、移動と方向転換のための自在式キャスター等を配置し、構造体上部には、円筒などの、円弧部を床面に接し回転が可能で、回転軸が概ね水平な状態の回転可能物（以下、回転物とする。）を、積載するため、ブレーキ機能を有する固定式キャスターを、積載しようとする回転物の回転軸と車輪軸を同一方向にし、回転物の直径幅以内、且つ、回転物を積載したときに回転物の円弧部が構造体に接触しない幅で、回転軸の両端付近に２基１組ずつ配置し、複数の回転物を１個ずつ積載する場合は、構造体を延長し回転物が接触しない間隔で同様のキャスター列を配置し、複数の密接した回転物を同時に積載する場合は、基準となる回転物から、複数の回転物を、一方の水平方向に分離する距離の合計を、回転物を保持する1組のキャスターの頂点間距離の２分の１未満となるよう設定するか、回転物を保持するキャスターの取り付け幅を、隣り合わせる１組と変化させることで回転物に高低差を生じ、分離可能と考えられ、回転物の種類や大きさ、又、作業方法に応じ、取り付け幅とキャスターを変更することで、多様に対応可能な構成とするものである。
【００１２】
回転物の両端を突出させた状態で保管するラックを、ラック高より高い設置高のキャスタ
ーを用いた請求項1の台車上のキャスター列間に、回転物を保持可能な向きで上方より収納する過程で、回転物をキャスターが保持し、ラックと分離される構成とする。
【００１３】
上記において、キャスター列間に収納され回転物と分離されたラックを、回転物の回転軸に対し、９０度の水平方向に撤去可能な構成とする。
【発明の効果】
【００１４】
以上の事により、フォークリフトの運転を最小限に抑え、作業行程の削減・作業時間の短縮をし、他の作業でのフォークリフトの有効利用が可能となる。更にフォークリフトの運転技能のない作業者や、女性作業者でも回転物を取り扱う作業に従事する機会が増えるとともに、作業員の健康被害を軽減し、作業の効率化の実現と、環境保全の一助となり、また、本発明の台車を使用する方法で作業することを前提とし、保管の段階から改善することで、搬送システムなどの設備投資を抑え、より効率化されると考えられる。
【図面の簡単な説明】
【００１５】
【図１】本体平面図
【図２】本体正面図
【図３】仕組図１
【図４】仕組図２
【図５】仕組図３
【図６】仕組図４
【図７】仕組図５
【図８】保管状態正面図
【図９】積載状態正面図
【図１０】積載状態側面図
【発明を実施するための形態】
【００１６】
以下、本発明の実施の形態を、図１から図１０に基づいて説明する。
【００１７】
図１は、２の構造体の天板に設置された、１のキャスター列で成る平行な中心線Ｓを複数有していることを示している。これにより、回転物を正面・裏面のどちら側から積載し
ても作業に支障は無いようになる。そして、２辺のキャスター列間に保管用のラックを収
納する。
【００１８】
図２は、本発明の正面図である。１のキャスターで回転物を保持する。キャスターは、ラック高よりも取り付け高が高いものを使用する。そうする事でラックを収納する過程で回転物は分離し、回転が可能となる。３及び３ｂは移動のためのキャスターで、３は固定式キャスター、３ｂは自在式キャスターを使用し、直進性を高めてある。
２は上下のキャスターを設置するためと、高さを持たせるための箱状の構造体である。
【００１９】
図３から図７は密接した回転物が分離し、回転する仕組みを説明するものである。
【００２０】
図３において、Ａ・Ｂ・Ｃ・Ｄは密接した回転物、Ｅ・Ｆ・Ｇ・Ｈ・Ｉ・Ｊ・Ｋ・Ｌはキャスター列を表している。ａ・ａ´は回転物を保持するキャスター一組の距離で、ｂ・ｂ´は組間の距離を表している。Ｘは下降時の基準線である。この時、ａ＜ａ´、ｂ＜ｂ´である。
【００２１】
図４において、Ａ・Ｂ・Ｃ・Ｄが垂直に下降すると、Ａ・Ｂ・Ｃ・Ｄの最下点にもっとも近いＦがＡに接する。
【００２２】
図５で、Ａ・Ｂ・Ｃ・Ｄが更に下降すると、次に最下点に近いＨがＢに接する。この時
Ａは回転移動しＥに接し、Ｂとの高低差と距離を生じる。
【００２３】
図６で、Ｂ・Ｃ・Ｄが更に下降すると、ＣがＩとＪに接する。この時Ｂは回転移動し、Ｇに接し、Ｃとの距離を生じる。この時、ＡとＢ、ＢとＣが分離する距離の合計が、ａの値の２分の１未満であるならば安全な回転移動が可能であり、又、ａの値の２分の１未満を細分化することで、一度に積載される回転物の数は限定されない、と考えられる。
【００２４】
図７では、Ｄが下降するとＫに接し回転移動しＡ・Ｂ・Ｃとの高低差と距離が生じる。仮に、ＣとＤが水平方向に分離されない設定でも、Ｃを保持するＩとＪ間の距離と、Ｄを
保持するＫとＬ間の距離の違いで生じる高低差により回転は可能になり、高低差を生じさ
せる方法を選択した時、一度に積載し回転可能となる回転物の数は、理論上無限になると考えられる。
【００２５】
上記のとおり、同じ高さの車輪の設置幅を変化させることにより、回転物を分離し回転を可能とする。この方法以外にもキャスターの高さに違いをつけることや、構造に変化をつけるなどあるが、複雑になり得策ではない。
【００２６】
図８において、４は回転物である円筒状容器の保管用のラック、５・６・７は円筒状容器であり、すべてが密接していて、内容物排出口が一定でないことを示している。
【００２７】
図９は、図３から図７で示した仕組みにより、保管状態の４・５・６・７が完全に独立状態となり、回転し内容物排出口が一定となることを示している。又、キャスターが有するブレーキ機能により、過回転を防止する。
【００２８】
図１０では、分離した４が台車の側面から引き抜けることを示している。これにより、積載後にラックを保管場所に残す事ができ、作業場所からラック返却のためのフォークリフトの往復を省くことができる。又、円筒状容器を使い切らないときは、ラックは抜かず、作業後にラックをフォークリフトで持ち上げると、台車上に残っている回転物を元の位置に積載し、そのまま保管が可能になる。  
【００２９】
仮に、ラックを使用せずとも、円筒状容器を台車の正面や裏面から1本づつ積載することや、台車側面から１本積載し、対向する側面から２本積載するなど、状況に対応した積載が可能であり、内容物排出面が台車の正面・裏面のどちらにあっても、その都度台車を反転し作業が可能である。
【符号の説明】
【００３０】
１  固定式キャスター
２  構造体
Ｓ  回転物積載時の中心線
３  固定式キャスター
３ｂ自在式キャスター
Ａ  回転物
Ｂ  回転物
Ｃ  回転物
Ｄ  回転物
Ｅ  固定式キャスター
Ｆ  固定式キャスター
Ｇ  固定式キャスター
Ｈ  固定式キャスター
Ｉ  固定式キャスター
Ｊ  固定式キャスター
Ｋ  固定式キャスター
Ｌ  固定式キャスター
Ｘ  下降基準線
ａ  保持キャスター間距離
ａ´保持キャスター間距離
ｂ  キャスター組間距離
ｂ´キャスター組間距離
４  円筒状容器保管用ラック
５  円筒状容器
６  円筒状容器
７  円筒状容器
【図１】
2009220805.tif 000003
【図２】
2009220805.tif 000004
【図３】
2009220805.tif 000005
【図４】
2009220805.tif 000006
【図５】
2009220805.tif 000007
【図６】
2009220805.tif 000008
【図７】
2009220805.tif 000009
【図８】
2009220805.tif 000010
【図９】
2009220805.tif 000011
【図１０】
2009220805.tif 000012